(57)【特許請求の範囲】
【請求項１】
制御回路と、スイッチング素子を備えて該制御回路からの制御信号に応じて高周波信号を供給するインバータ回路と、該インバータ回路にインピーダンス素子を介して並列に接続され、前記インバータ回路より供給される高周波信号により駆動される複数の放電灯と、一端が前記複数の放電灯のそれぞれに接続され、他端が共通に接続された共通端である複数の巻線を有するバランサトランスとから構成される放電灯点灯装置であって、
前記バランサトランスの共通端と前記制御回路の一端と前記インバータ回路の一端とが接続され、前記放電灯は予熱用のフィラメントを有する熱陰極形の放電灯であり、前記インバータ回路から前記複数の放電灯へ高周波信号を供給した状態で前記フィラメントの異常を検出するフィラメント検出回路を備え、前記制御回路は、前記バランサトランスのいずれかの巻線と前記放電灯との接続点に現れる放電灯の状態を示す信号に対応する信号を入力して、前記放電灯が半波放電を起こす異常を検出し、前記スイッチング素子と前記インピーダンス素子であるインダクタの間に前記バランサトランスが配設されるようにプリント基板上に実装されることを特徴とする放電灯点灯装置。
【請求項２】
前記バランサトランスは、一端が２つの放電灯のそれぞれに接続され、他端が共通に接続された共通端である２つの巻線で構成されたことを特徴とする請求項１に記載の放電灯点灯装置。
【発明の詳細な説明】
【０００１】
【発明の属する技術分野】
本発明は、複数の放電灯を点灯制御する放電灯点灯装置に関するものである。
【０００２】
【従来の技術】
並列に接続された複数の放電灯を点灯させる放電灯点灯装置の従来例を示す。図６は従来の放電灯点灯装置の構成を示す回路図であり、インバータ制御回路５２の制御信号により動作するインバータ回路５１にインダクタＬ１１とコンデンサＣ１１からなる直列回路を介して、巻線ｎ１１、ｎ１２を備えたバランサトランスＴ１１が接続されている。そして、このバランサトランスＴ１１の巻線ｎ１１、ｎ１２にはそれぞれコンデンサＣ１２、Ｃ１３と並列に接続されたランプ６１、６２が接続されている。
【０００３】
このように構成された放電灯点灯装置において、まずインバータ制御回路５２からの制御信号に応じて、インバータ回路５１は図示せぬスイッチング素子をオンオフ制御し高周波信号を発生する。そして、インダクタＬ１１とコンデンサＣ１２、Ｃ１３の共振を利用してランプ６１、６２の両端に高周波高電圧が発生され、ランプ６１、６２が始動点灯する。
【０００４】
このとき、ランプ６１、６２の始動電圧のバラツキにより、どちらかまず一方のランプが点灯する。ランプ６１が先に点灯した場合、バランサトランスＴ１１の巻線ｎ１１に流れる電流と、巻線ｎ１２に流れる電流がアンバランスとなり、そのため巻線ｎ１１、ｎ１２には電圧が発生する。そして、ランプ６１の電圧に巻線ｎ１１、ｎ１２に発生した電圧が加わった電圧がランプ６２に印加されて、ランプ６２が始動点灯する。
【０００５】
このように、ランプ６１、６２が共に点灯すると、巻線ｎ１１、ｎ１２にはほぼ同一で同位相の電流が流れるため、巻線ｎ１１、ｎ１２に発生する電圧が打ち消し合ってバランサトランスＴ１１での電圧降下はほとんど無くなる。従って、バランサトランスＴ１１はインピーダンスをほとんど有しなくなり、インダクタＬ１１が電流制限素子として働く。尚、コンデンサＣ１１は直流カット用コンデンサとして機能する。
【０００６】
上述したように、バランサトランスＴ１１はその巻線ｎ１１、ｎ１２に流れる電流がほぼ同一の時はほとんどインピーダンスを有することがなく、また巻線ｎ１１、ｎ１２に流れる電流値あるいは位相が異なり、両方に流れる電流値がアンバランスとなると、バランサトランスＴ１１はインピーダンスを有するようになり、巻線ｎ１１、ｎ１２に電圧が発生するようになる。
【０００７】
このようなバランサトランスの動作を利用した他の従来例を図７を用いて説明する。図７は、従来の他の放電灯点灯装置の構成を示す回路図であり、図６と同じものには同じ番号を付しその説明を省略する。図６の従来例と異なるところはバランサトランスＴ１１に巻線ｎ１３が新たに設けられており、更に巻線ｎ１３に発生する電圧よりランプ６１、６２の異常を検出してその検出結果をインバータ制御回路５２に出力する異常検出回路５３が設けられている点である。
【０００８】
このように構成された放電灯点灯装置で、上述したようにランプ６１、６２が正常である場合、バランサトランスＴ１１の巻線ｎ１１、ｎ１２に流れる電流値および位相がほぼ等しいので、巻線ｎ１１、ｎ１２にはほとんど電圧が発生せず、よって巻線ｎ１３にも電圧がほとんど発生しない。
【０００９】
ところが、ランプ６１、６２のいずれか一方が、例えば寿命末期などにより半波放電を行うようになると、巻線ｎ１１、ｎ１２に流れる電流値あるいは電流位相が変化し、その結果巻線ｎ１１、ｎ１２に電圧が発生し、巻線ｎ１３にも電圧が誘起される。この巻線ｎ１３に誘起された電圧を異常検出回路５３を介して、インバータ制御回路５２が検出し、インバータ回路５１を停止させる、あるいは出力を制限させるなどの制御を行う。
【００１０】
【発明が解決しようとする課題】
しかし、このような構成では巻線ｎ１３を別途設ける必要があり、また巻線ｎ１１、ｎ１２と巻線ｎ１３との絶縁を確保する必要があるため、バランサトランスＴ１１の大型化、およびコストの増大という問題が発生する。
【００１１】
また、このような回路構成の放電灯点灯装置をプリント基板上に実装する場合、インバータ回路５１の後にインダクタＬ１１、コンデンサＣ１１、バランサトランスＴ１１を介してランプ６１、６２への出力端子となるようパターン配線をする必要がある。特に、細長いプリント基板６０上に実装する場合、図８（ａ）の従来のプリント基板上への部品の実装状態を示す上面図、図８（ｂ）の従来のプリント基板上への部品の実装状態を示す側面図に示すように、発熱部品であるインダクタＬ１１とインバータ回路５１用のスイッチング素子５４とが近くにあるため、温度が上昇してスイッチング素子５４へのストレスが増大してしまう。そのため、スイッチング素子５４の定格をアップさせる、あるいはインダクタＬ１１を大型化させる必要が出てくる。
【００１２】
また、通常インバータ回路５１の近傍にインバータ制御回路５２が配置されるが、図８（ａ）（ｂ）に示すようにバランサトランスＴ１１の位置がインダクタＬ１１、コンデンサＣ１１をはさんでスイッチング素子５４を備えたインバータ回路５１と離れるため、バランサトランスＴ１１と接続される異常検出回路５３からインバータ制御回路５２へのパターン長が長くなり、高周波ノイズを拾って誤動作が生じる場合があり、その対策のための部品などの追加を行う必要が出てくる。
【００１３】
本発明は上記事由に鑑みて為されたものであり、その目的は、複数の放電灯を点灯させる放電灯点灯装置において、装置を小型化させ且つ安価にし、更には信頼性の向上を可能にする放電灯点灯装置を提供することにある。
【００１４】
【課題を解決するための手段】
本発明では、上記目的を達成するために、制御回路と、スイッチング素子を備えて該制御回路からの制御信号に応じて高周波信号を供給するインバータ回路と、該インバータ回路にインピーダンス素子を介して並列に接続され、前記インバータ回路より供給される高周波信号により駆動される複数の放電灯と、一端が前記複数の放電灯のそれぞれに接続され、他端が共通に接続された共通端である複数の巻線を有するバランサトランスとから構成される放電灯点灯装置であって、前記バランサトランスの共通端と前記制御回路の一端と前記インバータ回路の一端とが接続され、前記放電灯は予熱用のフィラメントを有する熱陰極形の放電灯であり、前記インバータ回路から前記複数の放電灯へ高周波信号を供給した状態で前記フィラメントの異常を検出するフィラメント検出回路を備え、前記制御回路は、前記バランサトランスのいずれかの巻線と前記放電灯との接続点に現れる放電灯の状態を示す信号に対応する信号を入力して、前記放電灯が半波放電を起こす異常を検出し、前記スイッチング素子と前記インピーダンス素子であるインダクタの間に前記バランサトランスが配設されるようにプリント基板上に実装されることを特徴とする。
【００１５】
また、前記バランサトランスは、一端が２つの放電灯のそれぞれに接続され、他端が共通に接続された共通端である２つの巻線で構成されたことを特徴とする。  
【００１６】
【発明の実施の形態】
（基本例１）
本発明の第１の基本例を図１を用いて説明する。図１は、本発明の第１の基本例に対応する放電灯点灯装置の構成を示す回路図である。直流電源Ｅとスイッチング素子Ｑ１、Ｑ２を有するインバータ回路１は、制御回路に相当するインバータ制御回路２からの制御信号により、スイッチング素子Ｑ１、Ｑ２が駆動され高周波信号を供給する。このインバータ回路１には、インピーダンス素子であるインダクタＬ１とコンデンサＣ１を介して、それぞれコンデンサＣ２、Ｃ３と並列に接続された熱陰極形の放電灯であるランプ１１、１２が接続されている。
【００１７】
そして、ランプ１１、１２のそれぞれにはバランサトランスＴ１の巻線ｎ１、ｎ２の一端が接続され、そして巻線ｎ１、ｎ２のランプ１１、１２に接続されていない側の他端は共通に接続されて共通端Ａとなっており、インバータ回路１およびインバータ制御回路２のグランドと同電位となっている。
【００１８】
このように構成された放電灯点灯装置は、従来例で説明したように、まずインバータ制御回路２からの制御信号に応じて、インバータ回路１のスイッチング素子Ｑ１、Ｑ２がオンオフ制御され、インバータ回路１より高周波信号が出力される。そして、インダクタＬ１とコンデンサＣ２、Ｃ３の共振を利用してランプ１１、１２の両端に高周波高電圧が発生され、ランプ１１、１２が始動点灯する。このときバランサトランスＴ１は、図６の従来例で述べたものと同様の働きをし、そしてコンデンサＣ１は直流カット用のコンデンサとして機能する。
【００１９】
このように、バランサトランスＴ１の共通端Ａが、インバータ回路１およびインバータ制御回路２のグランドと同電位となるように接続されているため、スイッチング素子Ｑ１、Ｑ２の後に、インダクタＬ１、コンデンサＣ１、ランプ１１、１２、バランサトランスＴ１のループで負荷回路が形成される。
【００２０】
そのため、細長いプリント基板上に回路部品を実装する際、グランドに接続されているスイッチング素子Ｑ１、Ｑ２の次にグランドに共通端Ａが接続されているバランサトランスＴ１を配置することが容易となる。よって、図３（ａ）のプリント基板上への部品の実装状態を示す上面図、図３（ｂ）のプリント基板上への部品の実装状態を示す側面図に示したように、スイッチング素子Ｑ１、Ｑ２、バランサトランスＴ１、コンデンサＣ１、インダクタＬ１、コンデンサＣ２、Ｃ３、ランプ１１、１２への出力端子５の順にプリント基板１０上に部品を配置することができる。
【００２１】
従って、スイッチング素子Ｑ１、Ｑ２と発熱部品であるインダクタＬ１とを離すことができ、スイッチング素子への温度的ストレスを低減できる。
【００２２】
また、本基本例では放電灯、およびバランサトランスの巻線の数を２つにしたが、その数は２つに限定される必要はない。
【００２３】
（基本例２）
次に、本発明の第２の基本例を説明する。図２は本発明の第２の基本例に対応する放電灯点灯装置の構成を示す回路図であり、図１と同じものには同じ番号を付してその説明を省略する。
【００２４】
図１と異なるところは、バランサトランスＴ１の巻線ｎ２と放電灯であるランプ１２との接続点Ｂが異常検出回路３を介して制御回路であるインバータ制御回路２に接続されているところである。詳しくは、前記接続点Ｂとグランドとの間に抵抗Ｒ１、Ｒ２が直列に接続されており、この抵抗Ｒ２には抵抗Ｒ３とコンデンサＣ４が並列に接続されている。そして、抵抗Ｒ２と抵抗Ｒ３との間にはダイオードＤ１が接続されており、これらの抵抗Ｒ１、Ｒ２、Ｒ３とダイオードＤ１およびコンデンサＣ４により異常検出回路３が構成される。
【００２５】
よって、接続点Ｂに発生した電圧が抵抗Ｒ１、Ｒ２、Ｒ３で分圧され、更にダイオードＤ１、コンデンサＣ４で整流平滑されて生じる直流電圧がコンデンサＣ４の両端にあらわれる。
【００２６】
このように構成された放電灯点灯装置のランプ１１、１２の点灯動作は図１で説明したものと同じであるのでその説明を省略し、ランプの異常検出の動作を説明する。まず、ランプ１１、１２の双方が共に正常である場合、バランサトランサＴ１の巻線ｎ１、ｎ２にはほぼ同一で同位相の電流が流れるため、巻線ｎ１、ｎ２にはほとんど電圧が発生せず、接続点Ｂの電位は非常に低くなり、コンデンサＣ４に発生する電圧も非常に低い値となる。
【００２７】
一方、ランプ１１、１２のうちのいずれか一方が、例えば寿命末期などの理由で半波放電を起こすようになると、バランサトランスＴ１の巻線ｎ１、ｎ２に流れる電流の電流値あるいは電流位相が異なるようになり、その結果巻線ｎ１、ｎ２に電圧が発生し、接続点Ｂの電位が高くなるために、コンデンサＣ４の両端に高い電圧が発生する。
【００２８】
このようにして、接続点Ｂには放電灯であるランプ１１、１２が異常であるか否かの放電灯の状態を示す信号があらわれ、この信号に対応する電圧信号がコンデンサＣ４の両端に発生する。このコンデンサＣ４の両端に発生する電圧信号を制御回路に相当するインバータ制御回路２が読み込み、その電圧信号の大きさが例えば所定値以上か否かを判定することで、ランプ１１、１２の異常を検出する。そして、インバータ制御回路２はランプ１１、１２の異常を検出したときは、インバータ回路１の停止、あるいは出力の制限などの制御を行う。
【００２９】
すなわち、バランサトランスＴ１の巻線ｎ２のランプ１２に接続されていない側の共通端Ａがインバータ制御回路２のグランドと同電位であるため、ランプ１２に接続されている接続点Ｂの電位に対応するコンデンサＣ４に発生する電圧信号をインバータ制御回路２が検出することで、ランプ１１、１２が異常であるか否かを検出できる。
【００３０】
よって、接続点Ｂの電位を検出するだけでよく、バランサトランスＴ１の巻線ｎ１、ｎ２の電圧、すなわち電位差を検出する必要がないため、図７に示す従来例のように第３の巻線ｎ１３を新たに設ける必要がない。よって、バランサトランサの大型化、およびコストの増大を回避できる。
【００３１】
尚、従来例で示したように、双方のランプが始動するまではどちらか一方のランプのみが点灯する場合があり、バランサトランスに電圧が発生し異常であると検出してしまうので、双方のランプが始動するまで異常検出を禁止するようにタイマなどを設けるのが好ましい。
【００３２】
また、本基本例においても、図１の基本例と同様、バランサトランスＴ１の共通端Ａが、インバータ回路１およびインバータ制御回路２のグランドと同一電位となるように接続されているため、細長いプリント基板上に回路部品を実装する際、スイッチング素子Ｑ１、Ｑ２と発熱部品であるインダクタＬ１とを離すことができ、スイッチング素子への温度的ストレスを低減できる。
【００３３】
また、図１の基本例で示したように、スイッチング素子Ｑ１、Ｑ２の近くにバランサトランスＴ１を配置することが容易となる。よって、インバータ回路１とバランサトランスＴ１を近傍に配置できるため、バランサトランスＴ１の接続点Ｂと、インバータ回路１に接続されたインバータ制御回路２との配線長を短くすることができ、高周波ノイズなどによる異常検出の誤動作を防止できる。
【００３４】
尚、本基本例ではインバータ制御回路２は、巻線ｎ２とランプ１２との接続点Ｂに現れる信号を異常検出回路３を介して入力し、ランプの異常を検出したが、巻線ｎ１とランプ１１との接続点に現れる信号を用いても同様の作用効果が得られる。
【００３５】
（基本例３）
次に、本発明の第３の基本例を説明する。図４は本発明の第３の基本例に対応する放電灯点灯装置の構成を示す回路図であり、図２と同じものには同じ番号を付し、その説明を省略する。
【００３６】
本基本例が図２の基本例と異なる点は、図２の基本例において、インバータ制御回路２はランプ１２と巻線ｎ２との間の接続点Ｂに現れる信号を異常検出回路３を介して入力し、ランプ１１、１２の異常を検出していたのに対して、本基本例はインバータ制御回路２がバランサトランスＴ１の巻線ｎ２上の一点Ｃに現れる信号を異常検出回路４を介して入力し、ランプ１１、１２の異常を検出する点である。
【００３７】
ここで、巻線ｎ２上の一点ＣがダイオードＤ１１、抵抗Ｒ１２を介して、並列に接続された抵抗Ｒ１３とコンデンサＣ１４の一端Ｄに接続され、更にその一端Ｄはインバータ制御回路２と接続される。そして、並列に接続された抵抗Ｒ１３とコンデンサＣ１４の他端ＦはバランサトランスＴ１の共通端Ａを介してグランドに接続される。
【００３８】
このとき、バランサトランスＴ１の巻線ｎ２上の一点Ｃより出力される電圧信号がダイオードＤ１１、コンデンサＣ１４により整流平滑され、前記一端Ｄより直流電圧がインバータ制御回路２に出力される。図２で説明したように、ランプ１１、１２の双方が共に正常である場合、バランサトランサＴ１の巻線ｎ１、ｎ２にはほぼ同一で同位相の電流が流れるため、巻線ｎ２上の一点Ｃにはほとんど電圧が発生せず、コンデンサＣ１４に発生する電圧も非常に低い値となる。
【００３９】
一方、ランプ１１、１２のうちのいずれか一方が、例えば寿命末期などの理由で半波放電を起こすようになると、バランサトランスＴ１の巻線ｎ１、ｎ２に流れる電流の電流値あるいは電流位相が異なるようになり、その結果巻線ｎ１、ｎ２に電圧が発生し、巻線ｎ２上の一点Ｃに電圧が発生するために、コンデンサＣ１４の両端に高い電圧が発生する。
【００４０】
このようにして、ランプ１１、１２の状態を示す信号が巻線ｎ２上の一点Ｃに現れ、その信号に対応する電圧信号がコンデンサＣ１４の両端に発生し、この電圧信号をインバータ制御回路２が読み込んで、ランプ１１あるいはランプ１２に異常が発生したと検出したときはインバータ回路１の停止、あるいは出力制限などを行う。
【００４１】
本基本例においても図２の基本例と同様に、バランサトランスＴ１の巻線ｎ２のランプ１２に接続されていない側の共通端Ａがインバータ制御回路２のグランドと同一電位であるため、巻線ｎ２上の一点Ｃの電位を検出するだけでよく、バランサトランスＴ１の巻線ｎ１、ｎ２の電圧を検出する必要がないため、図７に示す従来例のように第３の巻線ｎ１３を新たに設ける必要がない。よって、バランサトランサの大型化、およびコストの増大を回避できる。
【００４２】
また、本基本例においても、図１の基本例と同様、バランサトランスＴ１の共通端Ａが、インバータ回路１およびインバータ制御回路２のグランドと同一電位となるように接続されているため、細長いプリント基板上に回路部品を実装する際、スイッチング素子Ｑ１、Ｑ２と発熱部品であるインダクタＬ１とを離すことができ、スイッチング素子への温度的ストレスを低減できる。
【００４３】
また、図１の基本例で示したように、インバータ回路１とバランサトランスＴ１を近傍に配置できるため、バランサトランスＴ１の巻線ｎ２上の一点Ｃと、インバータ回路１に接続されたインバータ制御回路２との配線長を短くすることができ、高周波ノイズ等による異常検出の誤動作を防止できる。
【００４４】
尚、本基本例では、インバータ制御回路２は、巻線ｎ２上の一点Ｃに現れる信号を異常検出回路４を介して入力し、ランプの異常を検出したが、巻線ｎ１上の一点に現れる信号を用いても同様の作用効果が得られる。
【００４５】
（実施形態１）
次に本発明の第１の実施形態を説明する。図５は本発明の第１の実施形態に対応する放電灯点灯装置の構成を示す回路図であり、図２と同じものには同じ番号を付している。図２と異なるところは、抵抗Ｒ４、Ｒ５、Ｒ６、Ｒ７とコンデンサＣ７、ダイオードＤ２により構成され、ランプ１１のフィラメントの異常を検出するフィラメント検出回路６と、抵抗Ｒ８、Ｒ９、Ｒ１０、Ｒ１１とコンデンサＣ８、ダイオードＤ３により構成され、ランプ１２のフィラメントの異常を検出するフィラメント検出回路７とが追加されている点である。また、インダクタＬ１とコンデンサＣ１との間とグランドとの間にコンデンサＣ９が追加されている。
【００４６】
そして、ランプ１１の両極に設けられたフィラメント２１、２２は、フィラメント２２の端子ａ、ｂがインダクタＬ１に設けられた巻線ｎ２１の端子ａ、ｂに接続されると共に、フィラメント２１の端子ｃ、ｄがコンデンサＣ５を介してインダクタＬ１に設けられた巻線ｎ２２の端子ｃ、ｄに接続される。同様にランプ１２の両極に設けられたフィラメント３１、３２は、フィラメント３２の端子ｅ、ｆがインダクタＬ１に設けられた巻線ｎ２３の端子ｅ、ｆに接続されると共に、フィラメント３１の端子ｇ、ｈがコンデンサＣ６を介してインダクタＬ１に設けられた巻線ｎ２４の端子ｇ、ｈに接続される。
【００４７】
上述したフィラメント検出回路６の詳細を説明する。直流電源Ｅとグランドの間に抵抗Ｒ４、Ｒ５、Ｒ６が直列に接続されており、そして抵抗Ｒ６には抵抗Ｒ７とコンデンサＣ７が並列に接続され、更に抵抗Ｒ６と抵抗Ｒ７の間にはダイオードＤ２が接続されている。そして、抵抗Ｒ４と抵抗Ｒ５の接続点Ｇにはランプ１１のフィラメント２１のバランサトランスＴ１の巻線ｎ１に接続されない端子ｃが接続されている。また、フィラメント検出回路７においても６と同様に構成されており、抵抗Ｒ８とＲ９の接続点Ｈにはランプ１２のフィラメント３１のバランサトランスＴ１の巻線ｎ２に接続されない端子ｇが接続されている。
【００４８】
そして、フィラメント検出回路６を構成する抵抗Ｒ４から抵抗Ｒ７、およびフィラメント検出回路７を構成する抵抗Ｒ８から抵抗Ｒ１１の抵抗値は、ランプ１１のフィラメント２１、およびランプ１２のフィラメント３１の抵抗値に比べて充分大きな値に設定されている。
【００４９】
このように構成された放電灯点灯装置は、まずインバータ制御回路２の制御信号によりインバータ回路内のスイッチング素子Ｑ１、Ｑ２をオン、オフ制御し高周波信号を発生させ、インダクタＬ１とコンデンサＣ９の共振を利用して、ランプ１１、１２のそれぞれの両端に高周波高電圧を発生せることでランプ１１、１２を始動点灯させる。このとき、バランサトランスＴ１の動作は、図６の従来例で示したとおりであり、またランプ１１、１２の例えば寿命末期などの理由で半波放電を起こすような異常を検出する異常検出回路３の動作は図２で示したとおりであるのでその説明を省略する。
【００５０】
次に、フィラメントの異常を検出する動作を説明する。ランプ１１のフィラメント２１が正常である場合は、前記点Ｇに現れる抵抗Ｒ５、抵抗Ｒ６の両端電圧は、ランプ１１のフィラメント２１に発生する非常に小さい電圧となり、そのためフィラメント検出回路６のダイオードＤ２とコンデンサＣ７により整流平滑されてコンデンサＣ７の両端に発生する電圧も非常に小さいものとなる。同様に、ランプ１２のフィラメント３１が正常である場合は、フィラメント検出回路７のコンデンサＣ８の両端に発生する電圧は非常に小さいものとなる。
【００５１】
一方、ランプ１１のフィラメント２１が断線したり、ランプ１１よりはずれるなどの異常が発生したときのようにランプ１１が無負荷状態となった場合、コンデンサＣ７の両端には直流電源Ｅの電圧を抵抗Ｒ４、Ｒ５、Ｒ６、Ｒ７で分圧した電圧が発生するため、コンデンサＣ７の両端電圧は高くなる。ランプ１２に関しても同じように無負荷状態となると、コンデンサＣ８の両端に発生する電圧は高くなる。
【００５２】
このフィラメント検出回路６、７のコンデンサＣ７、Ｃ８の電圧をインバータ制御回路２によりそれぞれ検出することにより、ランプ１１、１２が無負荷状態であるか否かを検出することができる。そして、インバータ制御回路２はランプ１１、１２が無負荷状態であることを検出したとき、インバータ回路１の動作を停止させるようにする。
【００５３】
尚、ランプ１１のフィラメント２１、２２の予熱はインダクタＬ１に設けられた巻線ｎ２１、ｎ２２により、そしてランプ１２のフィラメント３１、３２の予熱はインダクタＬ１に設けられた巻線ｎ２３、ｎ２４により行っている。
【００５４】
よって本実施形態においては、放電灯であるランプ１１、１２のフィラメントの異常を検出することができる。
【００５５】
また、本実施形態においても図２の基本例と同様に、巻線ｎ２とランプ１２との接続点Ｂの電位を検出するだけでよく、バランサトランスＴ１の巻線ｎ１、ｎ２の電圧を検出する必要がないため、図７に示す従来例のように第３の巻線ｎ１３を新たに設ける必要がない。よって、バランサトランサの大型化、およびコストの増大を回避できる。
【００５６】
また、本実施形態においても、図１の基本例と同様、バランサトランスＴ１の共通端Ａが、インバータ回路１およびインバータ制御回路２のグランドと同一電位となるように接続されているため、細長いプリント基板上に回路部品を実装する際、スイッチング素子Ｑ１、Ｑ２と発熱部品であるインダクタＬ１とを離すことができ、スイッチング素子への温度的ストレスを低減できる。
【００５７】
また、図１の基本例で示したように、インバータ回路１とバランサトランスＴ１を近傍に配置できるため、バランサトランスＴ１の接続点Ｂと、インバータ回路１に接続されたインバータ制御回路２との配線長を短くすることができ、高周波ノイズ等による異常検出の誤動作を防止できる。
【００５８】
【発明の効果】
よって、請求項１の発明においては、バランサトランスの共通端と制御回路の一端とインバータ回路の一端とが接続され、さらに前記インバータ回路はスイッチング素子を備えており、該スイッチング素子と前記インピーダンス素子であるインダクタの間に前記バランサトランスが配設されるようにプリント基板上に実装されるため、発熱部品であるインダクタをスイッチング素子から離すことができ、スイッチング素子の温度的ストレスを低減できる。
【００５９】
また、インバータ回路とバランサトランスを近傍に配置するため、バランサトランスに現れる放電灯の状態を示す信号をインバータ回路に接続されたインバータ制御回路に出力するための配線長を短くすることができ、放電灯の異常検出を行う場合に、高周波ノイズなどによる誤動作を防止し、信頼性の向上が可能となる。
【００６０】
さらに、放電灯は予熱用フィラメントを有する熱陰極形の放電灯であり、フィラメントの異常状態を検出するフィラメント検出回路が接続されため、放電灯のフィラメントの異常を検出することができる。
【００６１】
また、制御回路の一端とバランサトランスの共通端が同電位となるように接続され、更に前記制御回路は、前記バランサトランスのいずれかの巻線と前記複数の放電灯との接続点に現れる放電灯の状態を示す信号に対応する信号を入力して、前記放電灯が半波放電を起こす異常を検出するため、バランサトランスの電圧を検出するための巻線を新たに設けることなく、簡単な構成で安価に放電灯の異常検出ができ、またバランサトランスの小型化も図れる。
【００６２】
また、請求項２の発明においては、前記バランサトランスは、一端が２つの放電灯のそれぞれに接続され、他端が共通に接続された共通端である２つの巻線で構成されており、前記バランサトランスの巻線の共通端と、インバータ回路の一端、およびインバ−タ回路を制御する制御回路の一端が同電位となるようにバランサトランスが接続されているため、バランサトランスをインバータ回路内のスイッチング素子とインピーダンス素子であるインダクタとの間に配置することができ、発熱部品であるインダクタをスイッチング素子から離すことができ、スイッチング素子の温度的ストレスを低減できる。
【００６３】
また、インバータ回路とバランサトランスを近傍に配置するため、バランサトランスに現れる放電灯の状態を示す信号をインバータ回路に接続されたインバータ制御回路に出力するための配線長を短くすることができ、放電灯の異常検出を行う場合に、高周波ノイズなどによる誤動作を防止し、信頼性の向上が可能となる。  
【図面の簡単な説明】
【図１】本発明の第１の基本例に対応する放電灯点灯装置の構成を示す回路図である。
【図２】本発明の第２の基本例に対応する放電灯点灯装置の構成を示す回路図である。
【図３】図１に用いる回路部品のプリント基板上への実装状態を示す（ａ）は上面図、（ｂ）は側面図である。
【図４】本発明の第３の基本例に対応する放電灯点灯装置の構成を示す回路図である。
【図５】本発明の第１の実施形態に対応する放電灯点灯装置の構成を示す回路図である。
【図６】従来の放電灯点灯装置の構成を示す回路図である。
【図７】従来の他の放電灯点灯装置の構成を示す回路図である。
【図８】従来のプリント基板上への部品の実装状態を示す（ａ）は上面図、（ｂ）は側面図である。
【符号の説明】
１    インバータ回路
２    インバータ制御回路
１１、１２  ランプ
【図１】
0004153592.tif 000002
【図２】
0004153592.tif 000003
【図３】
0004153592.tif 000004
【図４】
0004153592.tif 000005
【図５】
0004153592.tif 000006
【図６】
0004153592.tif 000007
【図７】
0004153592.tif 000008
【図８】
0004153592.tif 000009